(57)【特許請求の範囲】
【請求項１】
止め釘の端部に固定接続されるよう適合した第１部分と、Ｕ字接続部を介して第１部分に接続され、かつ一つの照準合わせ・穴あけスリーブを受け入れる複数のボアを有する照準合わせアームとを備え、該ボアが異なる角度で設けられている止め釘用照準合わせ装置であって、照準合わせアーム（１４）には、回転自在であるとともに軸方向に移動自在であり、かつクロス開口部の対が周方向および軸方向に間隔をあけて複数設けられている回転自在スリーブ（１６）がその上に支持されており、回転自在スリーブ（１６）の所定の回転位置において、一対のクロス開口部（１８）が照準合わせアーム（１４）のボアと位置合わせされ、位置止め手段が、個々の回転位置において照準合わせアーム（１４）上の回転自在スリーブ（１６）を受け止めるために設けられることを特徴とする止め釘用照準合わせ装置。
【請求項２】
照準合わせアーム（１４）には、照準合わせアーム（１４）上の回転自在スリーブ（１６）にわずかな軸方向のズレを生成させることにより、照準合わせアーム（１４）のボアおよび回転自在スリーブ（１６）のクロス開口部（１８）によって受け入れられた一つの照準合わせ・穴あけスリーブを挟み込む締め付け装置が接続されることを特徴とする請求項１に記載の止め釘用照準合わせ装置。
【請求項３】
回転自在スリーブ（１６）が、後端部において、照準合わせアーム（１４）の環状溝（２６）と協働する、内部に向って突出した突起部（４６）を有することを特徴とする請求項１〜２のいずれかに記載の止め釘用照準合わせ装置。
【請求項４】
突起部（４６）は、環状溝（２６）と対面するように形成された、照準合わせアーム（１４）の凹部（３４）とも協働することを特徴とする、請求項３に記載の止め釘用照準合わせ装置。
【請求項５】
締め付け装置が、トラニオン（７０）を用いることによって、照準合わせアーム（１４）の一端にある凹部（３０）に回転可能に取り付けられ、回転自在スリーブ（１６）の自由端に位置する回転式ノブ（２０）を有し、
回転式ノブ（２０）はつぼ状であり、その底部の内側の中央部に軸方向に延びるラグ（６８）を有し、このラグ（６８）の上端にトラニオン（７０）が設けられ、このラグ（６８）の周面部に、回転自在スリーブ（１６）のカム従動子としてのラジアルピン（４８、５０）と協働するガイドカムとしての環状溝部（７６）を有し、ラジアルピン（４８、５０）を環状溝部（７６）に導入するために、軸方向に平行な溝部（７８）を介して、環状溝部（７６）がラグ（６８）の自由端部に接続されおり、
さらに、環状溝部（７６）を傾斜させることにより、回転式ノブ（２０）が回転した際にラジアルピン（４８、５０）と環状溝部（７６）が協動して回転自在スリーブ（１６）を軸方向に偏らせることを特徴とする請求項１〜４のいずれかに記載の止め釘用照準合わせ装置。
【請求項６】
ラグ（６８）が、つぼ状の回転式ノブ（２０）における分離した部分として取り付けられることを特徴とする請求項５に記載の止め釘用照準合わせ装置。
【請求項７】
構成要素を互いに偏らせるばねが、回転式ノブ（２０）と回転自在スリーブ（１６）の自由端部との間に設けられることを特徴とする請求項５〜６のいずれかに記載の止め釘用照準合わせ装置。
【請求項８】
前記ばねは、湾曲した座金（５６）であることを特徴とする、請求項７に記載の止め釘用照準合わせ装置。
【発明の詳細な説明】
【０００１】
【発明の属する技術分野】
本発明は、止め釘の端部に固定的に接続されるよう適合した第１部分と、Ｕ字接続部を介して第１部分に接続され、かつ照準合わせおよび穴あけスリーブを受け入れる複数のボアを有する照準合わせアームとを備え、該ボアが異なる角度で設けられている止め釘用照準合わせ装置に関する。
【０００２】
【従来の技術】
周知の通り、止め釘とは、骨接合用ねじが通過するクロスボアを介して設けられた髄内釘のことである。周知の通り、骨接合用ねじを導入するために、骨の中にボアを作成するためには照準合わせ装置が必要となる。典型的な照準合わせ機器または照準合わせ装置は、駆動力が付加される髄内釘の端部に固定的に接続される。照準合わせ装置が大腿部に導入される場合、髄内釘の端部とは、通常、髄内釘の近接端部である。照準合わせ装置の固定部は、その大部分がＵ字型である部分を介して照準合わせアームに接続される。前述のように、釘が固定部に接続されると、この照準合わせアームには、止め釘の中のボアに方向付けられたクロスボアが備えられる。前述のように、止め釘は大腿骨頚部におけるねじ用の斜めの貫通孔をも含む複数のクロスボアを有するため、個々のクロスボアは異なる角度に設けられている。このように、照準合わせアームにおけるボアの形状は類似している。
【０００３】
骨に穴をあけるとき、照準合わせアーム中の関連したボアのみが必然的に必要である。照準合わせ・穴あけスリーブは、そのボアを貫通して骨にまで達し、一回目のスリーブ挿入がそのボアを介して行なわれ、その後、ドリルによる骨への穴あけが行なわれる。作業者が無意識に間違ったボアを選択しないようにするために、照準合わせアームを覆ってスリーブを嵌めることが知られている。このスリーブは、照準合わせアーム上を滑動したときに、この照準合わせアームにおける一つのクロスボアに方向付けられる一対のクロス開口またはクロス孔がある。例えば、４つの異なる貫通孔（ボア）が照準合わせアームに設けられていると、１つの照準合わせ装置につき、４つのスリーブを前方に進める必要がある。１組の照準合わせスリーブが、止め釘のために必要とされるため、関連スリーブの各々が選択されて、照準合わせアーム上を滑動させる必要がある。これには、多少のコストを伴う可能性がある。
【０００４】
【発明が解決しようとする課題】
本発明は、製造コストおよび作業上コストが共に削減される照準合わせ装置を提供することを目的とする。
【０００５】
【課題を解決するための手段】
この目的は、請求項１の特徴によって達成される。
【０００６】
本発明において、照準合わせアームには、回転自在であるが実質的に軸方向に移動自在であり、かつ周方向および軸方向に間隔があけられた１組のクロス開口を有する回転自在スリーブがその上に支持されており、回転自在スリーブの所定の回転位置において、一開口部が照準合わせアームのボアと位置合わせされている。このように、本発明の照準合わせ装置において、１つのスリーブのみが照準合わせアームの上に設けられて永続的に残るので、従来装置のように一組のスリーブの中から適当なスリーブを選択して照準合わせアームに取り付ける必要がない。回転自在スリーブに設けられた一対のクロス開口部のそれぞれは、回転位置にしたがって照準合わせアームにおける１つのクロスボアに方向付けられる。適切なマーキングが、照準合わせアームまたは照準合わせスリーブ上に施されてもよい。適切なマーキングによって、作業者は簡単に回転自在スリーブの回転位置において照準合わせアームのクロスボアを実現させることが可能となる。回転自在スリーブが不本意に回転するのを防止するために、使用される回転位置において、照準合わせアーム上に係合するように回転自在スリーブを係止する移動止め手段が設けられると更に良い。
【０００７】
前述のように、係止された回転位置において、照準合わせ・穴あけスリーブは、回転自在スリーブの開口、および照準合わせアームのクロスボアを通して骨を圧迫するようになるまで前進する。なんらかの準備がなされない限り、照準合わせ・穴あけスリーブは自然に移動することがある。これを回避するために、本発明の一態様においては、照準合わせアームが締め付け装置に連結され、締め付け装置は照準合わせアーム上の回転自在スリーブを軸方向に少しだけ移動させ、それによって、受けとめられる照準合わせ・穴あけスリーブが、照準合わせアームのボアと回転自在スリーブの開口とによって挟まれる。回転自在スリーブにおける最小限の軸方向の移動のみによって、照準合わせおよび穴あけスリーブを十分に挟むことができる。この軸方向の移動は、移動可能なスリーブがそのような軸方向の固定された位置に設けられた許容範囲内において可能である。
【０００８】
スリーブをほぼ移動不可能なように照準合わせアーム上で軸方向に支持するようにするために、本発明の一態様においては、スリーブの後端には照準合わせアームの環状溝と協働する内部に向かって放射状に突出した突起部を有する。この突起部はまた、照準合わせアームの移動止め凹部と協働するように用いられて、回転自在スリーブの所定の回転位置における照準合わせアームの移動止め凹部に係合する。
【０００９】
照準合わせ・穴あけスリーブを挟むという目的で、締め付けスリーブをわずかに軸方向に移動させるような構成上の種々の選択が考えられる。それらの一つとして、締付装置が回転式ノブを備えたものが考えられる。この回転式ノブは、回転自在スリーブの自由端部に設けられ、照準合わせアームの凹部において、中央トラニオンを用いることによって回転可能に装着される。しかし、締付装置は軸方向には移動できない。加圧ノブおよび回転自在スリーブは、ガイドカムおよびカム従動子を介して協働するため、回転式ノブが回転しているときに、回転自在スリーブは軸方向に偏っている。このため、回転式ノブはつぼ状に構成されていてもよく、その底部の内側の中央部において、トラニオンが設けられる上端に照準合わせアームの凹部と協働する軸方向のラグを有していてもよい。本ラグの周面部には、回転自在スリーブにおける少なくとも1つの放射線状の突起部と協働する環状溝が設けられている。この環状溝部は、回転自在スリーブの突起部を環状溝に導入するために、軸方向に平行な溝を介してラグの自由端部に接続されている。環状溝は、ある程度傾斜しているため、環状溝が回転すると、締め付けスリーブ（回転自在スリーブ）が軸方向に偏ることになる。
【００１０】
本発明における他の実施態様によると、構成要素を互いに偏らせるばねが加圧ボタンと回転自在スリーブの自由端との間に設けられている。
【００１１】
【発明の実施の形態】
本発明の実施の形態について、図を参照しながらさらに詳細に説明する。
図１に示す照準合わせ装置は、図示しない止め釘の端部に適切に接続される取付部１０を有する。この取付部については特に説明はしない。これは、従来技術の説明に含まれている。
【００１２】
Ｕ字接続部１２を介して、取付部１０は照準合わせアーム１４と堅固に固定されている。照準合わせアームに１４は、回転自在スリーブ１６を回転自在に支持する。その周面部において、回転自在スリーブ１６は、軸方向に別々に設けられ、かつ異なる角度で形成された複数のクロス開口部１８を有する。この開口部の目的については後述する。
【００１３】
回転式ノブ２０は、回転自在スリーブ１６の自由端部に配置される。
【００１４】
取付部１０、接続部１２および照準合わせアーム１４は、図２および図３においてより明示している。図から分かるように、照準合わせアーム１４は、その低部領域が、１組のクロスボア２４を備えたほぼ円筒状の部分２２となっている。合計で４つのクロスボアが設けられており、それらすべては、１つのボアが二重のボアに相当するように異なる角度に設けられている。止めネジ（図示せず）が取付部１０に堅固に接続されている場合、クロスボア２４の中心線は止めネジの穴の中心線に向けられている。
【００１５】
自由端部の近傍において、照準合わせアーム１４は、軸方向に平行な溝２８を介して照準合わせアーム１４の自由端に接続されている環状溝２６を有する。前端部において、凹部３０は、自由端部から始まるように形成され、下部を切り取られて形成された内部環状溝３２を有する。図２から分かるように、間隔を置いて周面部に設けられた凹部３４は、環状溝２６の壁面に近接して形成されている。凹部３４の機能については後述する。
【００１６】
回転自在スリーブ１６の構造を図４〜図７に示す。回転自在スリーブ１６の全長に亘って広く延在した部分３６の内径は、照準合わせアーム１４の円筒部２２の内径よりわずかに大きい。円筒部２２の左側において部分３８が延在する。部分３８の内径は、部分２２の内径よりわずかに小さい。遮断リング４０は、以上のようにして形成された段に位置しており、軸方向に平行なボア４２を介して、ネジ込まれる固定ボルトによって取り付けられている。遮断リング４０は、軸方向に平行なラグ４４上に、内側に向って放射状に向けられた突起部４６を有する。２つのラジアルピン４８および５０は、部分３８の内部にある程度延在し、プレスフィット内で、部分３８において正反対に位置するような位置に設けられる。
【００１７】
部分３８の外径が部分３６の外径よりわずかに小さいため、適切な段部５２が形成されることがさらに分かる。最終的に、自由端部において、部分３８は湾曲した座金５６を収容するための軸方向つば５４上に設けられる。湾曲した座金５６はつばの上に配置され、回転自在スリーブ１６の部分３８の前面に支えられている。湾曲した座金５６は、ばねに相当する。
【００１８】
回転式ノブ２０の構造を図８〜図１０に示す。回転式ノブ２０は、その底部が凹部６４となっているつぼ状のノブ部分６０を有する。この凹部は、軸方向のラグ６８における軸方向の突起部６６に挿入され、接着剤を用いた接着、あるいはボルトを用いた接着のいずれかによってそこに固定される。ラグは、右側端部において、４つのアーム７２を備えたクリップとして形成されたトラニオン７０を有する。４つのアーム７２は、周辺部に一定の間隔を置いて配置され、外端部に放射状の拡張部７４を有する。
【００１９】
ラグ６８は、軸方向に平行な溝部７８を介して、ラグ６８の上端部に接続された、２つの正反対に位置する環状溝部７６をさらに有する。くぼみ８０は、軸方向に平行な溝部７８の内端部に設けられる。環状溝部７６には、くぼみ８０から左側に至る小さな凹部が設けられる。なお、このことは反対側の環状溝にも当てはまる。
【００２０】
組立上、回転自在スリーブ１６は照準合わせアーム１４の円筒部２２上を滑動し、スリーブがわずかに回転する場合には、突起部４６は照準合わせアーム１４の凹部３４に係合するようになる。移動止め凹部３４は、回転自在スリーブ１６の回転位置を所定の回転位置に固定させ、その結果、回転自在スリーブ１６の各々の開口部１８は、照準合わせアーム１４のボア２４に方向付けられる。
【００２１】
ラグ６８のトラニオン７０は、環状溝３２に留められたトラニオン７０の拡張部７４によって、湾曲した座金５６とつば５４を介して、凹部３０に導入される。これにより、回転式ノブは軸方向に安定するが、この場合でも、ノブは回転可能である。トラニオン７０が上述の方法でラグ６８に導入されている一方、図８〜図１０に大きい尺度で図示されたラグ６８は、スリーブ１６の部分３８の内部に係合される。この段階で、回転式ノブ２０は、軸方向に平行な溝７８をピン４８、５０に向けるような回転位置に配置される必要性がある。回転式ノブ２０は、くぼみ８０に到達するとすぐに、カム従動子としてのピン４８、５０が、ガイドカムとしての環状溝部７６の中に入るまで時計回りにわずかに回転する。回転式ノブ２０が回転を続ける場合、結果的に、回転自在スリーブ１６は回転式ノブ２０の方向に引っ張られる。図示していない照準合わせ・穴あけスリーブがクロスボア２４および各開口部１８内にある場合、回転自在スリーブ１６が前述のように移動すると、照準合わせ・穴あけスリーブが挟まれることになる。
【００２２】
上述の構成において、回転式ノブ２０におけるつぼ状部分は、図１から理解されるように、スリーブ１６の部分３８の上に存在する。このことからも、回転式ノブ２０の外部周面は、回転自在スリーブ１６の部分３６と直径がほぼ同一であることが判る。適切に緩やかな通過領域８２が、回転自在スリーブ１６と、照準合わせアーム１４の近接部分との間に形成される。後者は、断面が長方形で示されている。
【発明の効果】
以上の説明から明らかなように、本発明によれば、回転自在であるが実質的に軸方向に移動自在であり、かつ周方向よび軸方向に間隔があけられた１組のクロス開口を有する回転自在スリーブが、照準合わせアームに上に支持されており、回転自在スリーブの所定の回転位置において、一開口部が照準合わせアームのボアと位置合わせされるように構成されているので、１つのスリーブのみが照準合わせアームの上に設けられて永続的に残る。したがって、従来装置のように一組のスリーブの中から適当なスリーブを選択して照準合わせアームに取り付ける必要がない。したがって、製造コストおよび作業上コストが共に削減される照準合わせ装置を実現することができる。
【図面の簡単な説明】
【図１】本発明の照準合わせ装置の斜視図である。
【図２】回転自在スリーブを取り外した、図１の照準合わせ装置の側面図である。
【図３】図２の線３−３に沿った断面図である。
【図４】図１の照準合わせ装置の回転自在スリーブの斜視図である。
【図５】矢印５の方向における図４の回転自在スリーブの端面図である。
【図６】図５の線６−６に沿った回転自在スリーブの断面図である。
【図７】  回転自在スリーブを部分的に示した、図５の線７−７に沿った回断面図である。
【図８】図４に示した回転式ノブの側面図である。
【図９】図８の回転式ノブの断面図である。
【図１０】図８および図９の回転自在スリーブのラグの斜視図である。
【符号の説明】
１４  …  照準合わせアーム
１６  …  回転自在スリーブ
１８  …  クロス開口部
２０  …  回転式ノブ
２４  …  クロスボア
２６  …  環状溝
３０  …  凹部
３４  …  凹部
４６  …  突起部
４８、５０  …  ラジアルピン（カム従動子）
５６  …  湾曲した座金（バネ）
６８  …  ラグ
７０  …  トラニオン
７６  …  環状溝部（ガイドカム）
７８  …  溝部
【図１】
0004094974.tif 000002
【図２】
0004094974.tif 000003
【図３】
0004094974.tif 000004
【図４】
0004094974.tif 000005
【図５】
0004094974.tif 000006
【図６】
0004094974.tif 000007
【図７】
0004094974.tif 000008
【図８】
0004094974.tif 000009
【図９】
0004094974.tif 000010
【図１０】
0004094974.tif 000011